(57)【要約】【課題】記録型光ディスク、互換光ディスクにおいては、時間がかかっていたレーザーパワーの測定を高速かつ正確に行う。【解決手段】カートリッジと同型の治具に再生用と記録用、赤色用と青紫色用の受光素子を搭載し治具を装填した状態で順次レーザーパワーの調整を行う。また受光素子から所定量焦点をずらし、さらに球面収差補正レンズも所定位置合わせることで信頼性を向上できる。【選択図】図１
2005085367.tif 000002
【特許請求の範囲】
【請求項１】
レーザーをパルス発光して記録を行う光ディスク装置の光ヘッドと対向するように情報記録担体上あるいは前記情報記録担体を収納するカートリッジ内に設けられた受光手段と、前記各受光手段からの出力信号に基づいて表示を行う表示手段とを備えたレーザーパワー測定装置であって、前記受光手段は再生光の直流パワーを測定する第１の受光素子と、記録光のパルス幅あるいはパルス高さを測定する第２の受光素子を設け、前記第１、第２の受光素子によってレーザーパワ−を再生の状態と記録状態と独立に測定することを特徴としたレーザーパワ−の測定方法。
【請求項２】
レーザーをパルス発光して記録を行う光ディスク装置の光ヘッドと対向するように情報記録担体上あるいは前記情報記録担体を収納するカートリッジ内に設けられた受光手段と、前記各受光手段からの出力信号に基づいて表示を行う表示手段とを備えたレーザーパワー測定装置であって、前記受光手段は再生光の直流パワーを測定する第１の受光素子と、記録光のパルス幅あるいはパルス高さを測定する第２の受光素子を設け、前記第１、第２の受光素子によってレーザーパワ−を再生の状態と記録状態と独立に測定することを特徴としたレーザーパワ−の測定装置。
【請求項３】
光ディスク装置の光ヘッドを、最初に第１の受光素子の近傍に移動し、再生光の直流パワーを測定した後、次に第２の受光素子の近傍に移動し、記録光のパルス幅あるいはパルス高さを測定することを特徴とした請求項２記載のレーザーパワ−の測定装置。
【請求項４】
波長の異なる２つのレーザーを搭載し、２種類以上の光ディスクに対して情報の記録、再生を行う光ディスク装置の光ヘッドと対向するように、情報記録担体上あるいは前記情報記録担体を収納するカートリッジ内に設けられた第１、第２の受光手段と、前記第１、第２の受光手段からの出力信号に基づいて表示を行う表示手段とを備えたレーザーパワー測定装置であって、前記第１の受光手段は、短波長のレーザーパワーを測定する受光手段、前記第２の受光手段は、長波長のレーザーパワーを測定する受光手段であり、前記光ディスク装置を制御して、各波長のレーザーパワ−を独立に測定することを特徴としたレーザーパワ−測定方法。
【請求項５】
波長の異なる２つのレーザーを搭載し、２種類以上の光ディスクに対して情報の記録、再生を行う光ディスク装置の光ヘッドと対向するように、情報記録担体上あるいは前記情報記録担体を収納するカートリッジ内に設けられた第１、第２の受光手段と、前記第１、第２の受光手段からの出力信号に基づいて表示を行う表示手段とを備えたレーザーパワー測定装置であって、前記第１の受光手段は、短波長のレーザーパワーを測定する受光手段、前記第２の受光手段は、長波長のレーザーパワーを測定する受光手段であり、前記光ディスク装置を制御して、各波長のレーザーパワ−を独立に測定することを特徴としたレーザーパワ−測定装置。
【請求項６】
受光手段は光ヘッドのトラッキング方向と直交するタンジェンシャル方向に移動可能にしたことを特徴とする請求項２または５記載のレーザーパワ−測定装置。
【請求項７】
レーザーをパルス発光して記録を行う光ディスク装置の光ヘッドと対向するように情報記録担体上あるいは前記情報記録担体を収納するカートリッジ内に設けられた受光手段と、前記受光手段からの出力信号に基づいて表示を行う表示手段とを備えたレーザーパワー測定装置で調整される光ディスク装置であって、
前記受光手段は再生光の直流パワーを測定する第１の受光素子と、記録光のパルス幅、パルス高さを測定する第２の受光手段を設け、さらに光ディスク装置は、光ヘッドを前記情報記録担体の半径方向に移動させるトラッキング移動手段を具備し、またレーザーパワ−測定装置は、前記受光手段を光ヘッドに対してタンジェンシャル方向に移動させるタンジェンシャル移動手段を具備し、調整時においては前記トラッキング移動手段及びタンジェンシャル移動手段を駆動し、光ヘッドから発光されるレーザー光が、前記第１あるいは第２の受光素子内に全て照射されるように前記光ヘッド及び受光手段を制御することを特徴とする制御装置。
【請求項８】
レーザーをパルス発光して記録を行う光ディスク装置の光ヘッドと対向するように情報記録担体上あるいは前記情報記録担体を収納するカートリッジ内に設けられた受光手段と、前記受光手段からの出力信号に基づいて表示を行う表示手段とを備えたレーザーパワー測定装置で調整される光ディスク装置であって、
前記受光手段は再生光の直流パワーを測定する第１の受光素子と、記録光のパルス幅、パルス高さを測定する第２の受光手段を設け、さらに光ディスク装置は、光ヘッドを前記情報記録担体の記録面に対して直交方向に移動させるフォーカス移動手段を具備し、調整時においては前記フォーカス移動手段を駆動し、光ヘッドから発光されるレーザー光が、前記第１あるいは第２の受光素子内に完全に収束しないように所定のフォーカスずれをもってかつ、全ての光が照射されるように光ヘッドを制御することを特徴とする制御装置。
【請求項９】
レーザーをパルス発光して記録を行う光ディスク装置の光ヘッドと対向するように情報記録担体上あるいは前記情報記録担体を収納するカートリッジ内に設けられた受光手段と、前記受光手段からの出力信号に基づいて表示を行う表示手段とを備えたレーザーパワー測定装置で調整される光ディスク装置であって、
前記受光手段は再生光の直流パワーを測定する第１の受光素子と、記録光のパルス幅、パルス高さを測定する第２の受光手段を設け、光ディスク装置は、光ヘッドから前記情報記録担体の記録面に収束されるビームの球面収差を記録面の厚みに応じて切り換えることのできる球面収差切換手段を具備し、調整時においては前記球面収差移動手段を駆動し、光ヘッドから発光されるレーザー光が、所定の記録面の厚みに対応した球面収差の状態になるように光ヘッドを制御することを特徴とする制御装置。
【発明の詳細な説明】
【技術分野】
【０００１】
本発明は、光ディスクのレーザーパワ−の測定方法またはその装置に関するものである。
【背景技術】
【０００２】
従来のレーザーパワー測定装置としては、ディスク装置の光ヘッドと対向するように情報記録担体上あるいは前記情報記録担体を収納するカートリッジ内に設けられた受光手段と、前記受光手段からの出力信号に基づいて表示を行う表示手段とを備えたものがあった（特許文献１参照）。
【０００３】
図１０はかかるレーザーパワ−測定のための構成を示している。光ディスクからなる情報記録担体２がカートリッジ治具１内に収納されている。カートリッジ治具１の片面には窓部３が開口されており、情報記録担体２における窓部３に臨んだ部分には受光素子４が設けられている。受光素子４はレーザー光が照射されると、光電変換により電気信号を出力するものであり、この電気信号の入力によりレーザーパワー値を表示する表示手段（図示省略）が受光素子４に接続されている。５は情報記録担体２の回転をロックするため、カートリッジ治具１内に設けられたロック部材である。
【０００４】
このような構成によって光ディスク装置のレーザーパワーを測定するには、光ディスク装置の光ピックアップを情報記録担体２の所定領域に移動し、光ディスク装置のスピンドルモータの回転を停止し、光センサ１０がレーザー光を直接受光できる向きでカートリッジ治具１を光ディスク装置に挿入する。そして、光ディスク装置より情報記録担体２に対し、レーザー光を発光する。これにより、光センサ１０は、レーザー光を受光して、光電変換を行い、電気信号を出力して増幅器１２で電気信号を増幅し、表示手段１３がレーザーパワー値を表示する。
【０００５】
さらに図１１のように受光素子としての光センサ１０にケーブル１１を介して増幅器１２、Ａ／Ｄ変換器１６が接続されると共に、Ａ／Ｄ変換器１６がＧＰＩＢケーブル１９を介してパーソナルコンピュータ１８に取り込み、予め設定してある基準値との比較を行う。この比較の結果、基準値の範囲内であれば、”ＯＫ”、基準値の範囲外であれば、”ＮＧ”の判定をＣＲＴからなる表示画面に表示する。
【特許文献１】実開平６−４９２６号公報
【発明の開示】
【発明が解決しようとする課題】
【０００６】
しかしながら、上述した技術によれば、特にＣＤ−ＲＷ、ＤＶＤ−ＲＡＭにはじめとする相変化記録型の光ディスク装置においては、再生は微少なパワーでのＤＣ発光、記録は大きなピークパワ−でのパルス発光が基本となっており、例えば、ＤＶＤ−ＲＡＭでは再生は１ｍＷ以下、記録のピークは５ｍＷ以上である。これを同じ受光素子で検出しようとすると、検出レンジと検出精度の両立ができない。また別なカートリッジに記録測定用、再生測定用と各受光素子を１個ずつ装填し、測定することもできるが、カートリッジを挿入排出するごとに、光ヘッドの位置決めを最初からやらなければならず、測定時間が増大するという課題があった。
【０００７】
またＣＤとＤＶＤ、あるいはＤＶＤとＢｌｕ−ｒａｙといったレーザ波長の異なるディスクの互換をもったドライブも近年出てきており、これらのドライブを小型にするためには、１つのヘッドに２つ以上のレーザを搭載することは必須である。このような条件でも受光の測定精度を確保するためには、短波長レーザー用と高波長レーザー用と２つ以上の受光素子が必要であり、別々なカートリッジに短波長用、長波長用と各受光素子を１個ずつ装填し、測定することもできるが、上記と同様カートリッジを挿入排出するごとに、光ヘッドの位置決めを最初からやらなければならず、測定時間が増大するという課題があった。
【０００８】
また短波長になればなるほど（例えば４０５ｎｍの青紫色レーザーの場合は）、光ビームスポットは小さくなり、さらにそれを検出する受光素子の有効面積も同様に小さくなる。例えば４０５ｎｍの青紫色レーザの場合は、ビームスポットのサイズで１／４〜１／５、受光素子の大きさで１／５〜１／８である。従来のようにトラッキング方向へ移動しての位置決めだけでは、メカのカートリッジの位置決め精度だけでは受光素子のタンジェンシャル方向の光ビームスポットがずれ、有効な領域からビームがはみ出してしまい、精度が悪くなるという課題があった。逆に受光素子に短波長の光ビームを絞り、かつ大きな記録パワーで発光すると、検出面の損傷や、光が照射されているセルの信号の飽和等によって正しい測定ができないという課題もある。
【０００９】
本発明は、前記従来の課題を解決するもので、記録型の光ディスク装置や、レーザ波長の異なるディスクの互換をもった光ディスク装置におけるレーザーパワ−の測定を速やかにかつ精度よく実現する測定方法と測定装置とその測定のための光ディスクの制御装置（調整制御装置）を提供することを目的とする。
【課題を解決するための手段】
【００１０】
上記の目的を達成するために、この発明のレーザーパワー測定方法は、レーザーをパルス発光して記録を行う光ディスク装置の光ヘッドと対向するように情報記録担体上あるいは前記情報記録担体を収納するカートリッジ内に設けられた受光手段と、前記各受光手段からの出力信号に基づいて表示を行う表示手段とを備えたレーザーパワー測定装置であって、前記受光手段は再生光の直流パワーを測定する第１の受光素子と、記録光のパルス幅あるいはパルス高さを測定する第２の受光素子を設け、前記第１、第２の受光素子によってレーザーパワ−を再生の状態と記録状態と独立に測定することを特徴とする。本構成により、記録と再生のレーザーパワーを速やかにかつ精度よく測定することができる。
【００１１】
またこの発明のレーザーパワー測定装置は、レーザーをパルス発光して記録を行う光ディスク装置の光ヘッドと対向するように情報記録担体上あるいは前記情報記録担体を収納するカートリッジ内に設けられた受光手段と、前記各受光手段からの出力信号に基づいて表示を行う表示手段とを備えたレーザーパワー測定装置であって、前記受光手段は再生光の直流パワーを測定する第１の受光素子と、記録光のパルス幅あるいはパルス高さを測定する第２の受光素子を設け、前記第１、第２の受光素子によってレーザーパワ−を再生の状態と記録状態と独立に測定する構成を有する。本構成により、記録と再生のレーザーパワーを速やかにかつ精度よく測定することができる。
【００１２】
またこの発明のレーザーパワー測定方法は、波長の異なる２つのレーザーを搭載し、２種類以上の光ディスクに対して情報の記録、再生を行う光ディスク装置の光ヘッドと対向するように、情報記録担体上あるいは前記情報記録担体を収納するカートリッジ内に設けられた第１、第２の受光手段と、前記第１、第２の受光手段からの出力信号に基づいて表示を行う表示手段とを備えたレーザーパワー測定装置であって、前記第１の受光手段は、短波長のレーザーパワーを測定する受光手段、前記第２の受光手段は、長波長のレーザーパワーを測定する受光手段であり、前記光ディスク装置を制御して、各波長のレーザーパワ−を独立に測定することを特徴とする。本構成により、例えば、赤色と青紫色のレーザーパワーを速やかにかつ精度よく測定することができる。
【００１３】
またこの発明のレーザーパワー測定装置は、波長の異なる２つのレーザーを搭載し、２種類以上の光ディスクに対して情報の記録、再生を行う光ディスク装置の光ヘッドと対向するように、情報記録担体上あるいは前記情報記録担体を収納するカートリッジ内に設けられた第１、第２の受光手段と、前記第１、第２の受光手段からの出力信号に基づいて表示を行う表示手段とを備えたレーザーパワー測定装置であって、前記第１の受光手段は、短波長のレーザーパワーを測定する受光手段、前記第２の受光手段は、長波長のレーザーパワーを測定する受光手段であり、前記光ディスク装置を制御して、各波長のレーザーパワ−を独立に測定する構成を有する。本構成により、例えば赤色と青紫色のレーザーパワーを速やかにかつ精度よく測定することができる。
【００１４】
またこの発明の制御装置は、レーザーをパルス発光して記録を行う光ディスク装置の光ヘッドと対向するように情報記録担体上あるいは前記情報記録担体を収納するカートリッジ内に設けられた受光手段と、前記受光手段からの出力信号に基づいて表示を行う表示手段とを備えたレーザーパワー測定装置で調整される光ディスク装置であって、前記受光手段は再生光の直流パワーを測定する第１の受光素子と、記録光のパルス幅、パルス高さを測定する第２の受光手段を設け、さらに光ディスク装置は、光ヘッドを前記情報記録担体の半径方向に移動させるトラッキング移動手段を具備し、またレーザーパワ−測定装置は、前記受光手段を光ヘッドに対してタンジェンシャル方向に移動させるタンジェンシャル移動手段を具備し、調整時においては前記トラッキング移動手段及びタンジェンシャル移動手段を駆動し、光ヘッドから発光されるレーザー光が、前記第１あるいは第２の受光素子内に全て照射されるように前記光ヘッド及び受光手段を制御することを特徴とする。本構成によりスポットサイズが微少で、受光素子の有効面積が小さくても正確にレーザーパワーの測定を行うことができる。
【００１５】
またこの発明の制御装置は、レーザーをパルス発光して記録を行う光ディスク装置の光ヘッドと対向するように情報記録担体上あるいは前記情報記録担体を収納するカートリッジ内に設けられた受光手段と、前記受光手段からの出力信号に基づいて表示を行う表示手段とを備えたレーザーパワー測定装置で調整される光ディスク装置であって、前記受光手段は再生光の直流パワーを測定する第１の受光素子と、記録光のパルス幅、パルス高さを測定する第２の受光手段を設け、さらに光ディスク装置は、光ヘッドを前記情報記録担体の記録面に対して直交方向に移動させるフォーカス移動手段を具備し、調整時においては前記フォーカス移動手段を駆動し、光ヘッドから発光されるレーザー光が、前記第１あるいは第２の受光素子内に完全に収束しないように所定のフォーカスずれをもってかつ、全ての光が照射されるように光ヘッドを制御することを特徴とする。本構成により、受光素子を破損することなく正確にレーザーパワーの測定を行うことができる。
【００１６】
またこの発明は、レーザーをパルス発光して記録を行う光ディスク装置の光ヘッドと対向するように情報記録担体上あるいは前記情報記録担体を収納するカートリッジ内に設けられた受光手段と、前記受光手段からの出力信号に基づいて表示を行う表示手段とを備えたレーザーパワー測定装置で調整される光ディスク装置であって、前記受光手段は再生光の直流パワーを測定する第１の受光素子と、記録光のパルス幅、パルス高さを測定する第２の受光手段を設け、光ディスク装置は、光ヘッドから前記情報記録担体の記録面に収束されるビームの球面収差を記録面の厚みに応じて切り換えることのできる球面収差切換手段を具備し、調整時においては前記球面収差移動手段を駆動し、光ヘッドから発光されるレーザー光が、所定の記録面の厚みに対応した球面収差の状態になるように光ヘッドを制御することを特徴とする。本構成によって正確にレーザーパワーの測定及び受光素子の感度調整を行うことができる。
【発明の効果】
【００１７】
本発明によれば、再生と記録でレーザの調整の必要な記録型の光ディスク装置や赤外、赤、青紫色といったレーザ波長に異なるディスクの互換をとったマルチリード、ライトな光ディスク装置においても、各モード、各波長でのレーザーパワーの測定を高速かつ正確に行うことができ、これによって正確なパワー調整やライトストラテジ調整ができるので、信頼性の高い装置を提供することが可能となる。
【発明を実施するための最良の形態】
【００１８】
以下本発明の実施の形態について図面を参照しながら説明をする。
【００１９】
（実施の形態１）
図１は本発明の実施の形態１における２つの受光素子を含むレーザーパワー測定装置の構成を示すブロック図である。
【００２０】
図１において光ディスクを収納するカートリッジと同型のカートリッジ治具１の片面にはオープンシャッター１０３になっており、開口ギヤ１０２によって窓部３を開口することができる。窓部３に臨んだ部分には、ＤＣ受光素子１００と、ＡＣ受光素子１０１がそれぞれ同一半径の直線上に設けられている。ＤＣ受光素子１００はレーザー光が照射されると、光電変換により電気信号を出力するものであり、この電気信号の入力により、その表示部１０７にレーザーパワー値を表示する表示装置１０６（デジタルメータ）がＤＣ受光素子１００に接続されている。このＤＣ受光素子１００は再生状態のレーザーパワーを測定するものであり、ＤＣでかつ低いパワーを正確に測定できる。このＤＣ受光素子１００の内側にはＡＣ受光素子１０１が設けられており、ＤＣ受光素子１００と同様にレーザー光が照射されると、光電変換により電気信号を出力するものである。ＡＣ受光素子１０１から出力される電気信号は、増幅器１０８を介してレーザーパワー波形あるいは値をその表示部１０５に表示する表示装置１０４（オシロスコープ）に入力され、記録状態でのレーザーの発光波形を表示する。すなわちＡＣ受光素子１０１は、記録状態のレーザーパワーを測定するものであり、ＡＣ、例えばマルチパルス波形のような変調されて高いピークをもつパワーを測定できる。
【００２１】
次に本レーザーパワー測定装置を使ったパワーの測定方法について説明する。
【００２２】
カートリッジ治具１が光ディスク装置の挿入口より装填されると、本来のカートリッジと同様に自動的にスライドシャッター１０３が開口する。図２（ａ）に示すように、光ディスク装置のスピンドルモータの回転を停止した状態で、トラバースモータ１１２を駆動し、光ピックアップ１１３をカートリッジ治具１内のＤＣ受光素子１００の下面に相当するの所定領域に移動し、光ピックアップ１１３からレーザ光を再生モードで発光する。通常再生レーザーパワーは、ＣＤ、ＤＶＤで０．５ｍＷ〜１ｍＷ、Ｂｌｕ−ｒａｙでは０．３ｍＷ程度になっている。この再生モードで発光した状態でフォーカスレンズアクチュエータによって対物レンズ１１４を上下させ、レーザー光が全て受光できるような位置に対物レンズを固定する。ただし波長に短い青紫色レーザー（λ＝４０５ｎｍ）は、ＤＣ受光素子１００に対して、レーザー光を絞りすぎると、受光素子の検出セルを破壊することになるので、パワーによっては、所定量だけフォーカスをずらす、すなわち絞りに制限を与えることが好ましい場合もある。このような状態で再生パワーの測定が開始すると、表示手段１０７には、所定のパワーがデジタル値で表示でき、さらにＲＳ−２３２Ｃケーブル等を介せば、光ピックアップ毎の再生パワーをＰＣ１１０に取り込むことも容易である。
【００２３】
以上のように再生パワーの測定が完了すると、次に図２（ｂ）に示すようにさらにトラバースモータ１１２を駆動し、光ピックアップ１１３をカートリッジ治具１内のＡＣ受光素子１０１の下面に相当するの所定領域に移動し、レーザを記録モードいわゆるマルチパルスで変調発光させる。このマルチパルス発光は図３のような波形となり、再生パワーＶｐから、バイアスパワーＶｂへ立ち上がり、バイアスパワ−ＶａからピークパワーＶｐへさらに立ち上がり、ピークパワーＶｐとボトムパワーＶｂの間で所定のパルス幅Ｗｎ（Ｎは所定の正の整数）で変調される。記録モードのレーザーパワーの測定は、光ディスクに品質良い書き込み性能を実現するため、通常はこの変調波形の調整を目的とする。よってバイアスパワーＶａ、ピークパワーＶｐ、ピークパワーＶｐとボトムパワーＶｂ及びパルス幅Ｗｎ全てを計測できるようになっている。よって表示手段１０４はオシロスコープのような波形観測器が望ましく、表示手段１０４のモニタ部１０５で波形観測できるだけでなく、ＧＰＩＢによって上記バイアスパワーＶａ、ピークパワーＶｐ、ピークパワーＶｐとボトムパワーＶｂ及びパルス幅Ｗｎを計測して、ＰＣ１１０に取り込めるようになっている。
【００２４】
またＤＣ受光素子の場合と同様に波長に短い青紫色レーザー（λ＝４０５ｎｍ）は、ＡＣ受光素子１０１に対して、レーザー光を絞りすぎると、受光素子の検出セルを破壊することになるので、パワーによっては、所定量だけフォーカスをずらす、すなわち絞りに制限を与えることが好ましい場合もある。
【００２５】
なお本実施の形態１では、２つの受光素子を搭載する治具は、光ディスクの方形型のカートリッジと同型サイズの治具の場合を例にあげて説明したが、カートリッジのない光ディスク装置等には、円盤状の光ディスクと同型の治具に各受光素子等をマウントしてもよい。
【００２６】
このように本実施の形態１によれば、再生パワー、記録パワーすなわち記録モードの変調波形の計測を同時に行うことができ、測定時間を短縮することができ、かつ正確な測定値を得ることができる。よって記録再生可能な記録型の光ディスク装置において、従来時間のかかっていた再生パワー及び記録パワーの測定が迅速かつ正確に行うことできる。
【００２７】
（実施の形態２）
図４は本発明の実施の形態２における２つの受光素子を含むレーザーパワー測定装置の構成を示すブロック図である。実施の形態１のブロック図と同様の部分には同じ番号を付し、詳しい説明を省略する。
【００２８】
図４において光ディスクを収納するカートリッジと同型のカートリッジ治具１の片面にはオープンシャッター１０３になっており、開口ギヤ１０２によって開口部３を開口することができる。窓部３に臨んだ部分には、赤色レーザー受光素子４００と、青紫色レーザー受光素子４０１がそれぞれ同一半径の直線上に設けられている。赤色レーザー受光素子４００はレーザー光が照射されると、光電変換により電気信号を出力するものであり、この電気信号の入力によりレーザーパワー値を表示する表示手段４０７（デジタルメータ）が赤色レーザー受光素子４００に接続されている。この赤色レーザー受光素子４００はＤＶＤ等で用いられる赤色レーザー再生状態のレーザーパワーを測定するものである。この赤色レーザー受光素子４００の内側には青紫色レーザー受光素子４０１が設けられており、赤色レーザー受光素子と同様に青紫色レーザー光が照射されると、光電変換により電気信号を出力するものであり、この電気信号の入力によりレーザーパワー値を表示する表示手段４０８（デジタルメータ）が青紫色レーザー受光素子４０１に接続されている。この青紫色レーザー受光素子４０１はＢＤ、ＡＯＤ等で用いられる青紫色レーザー再生状態のレーザーパワーを測定するものである。
【００２９】
次に本レーザーパワー測定装置を使った青紫色レーザー、赤色レーザーのパワーの測定方法について説明する。
【００３０】
カートリッジ治具１が光ディスク装置の挿入口より装填されると、本来のカートリッジと同様に自動的にオープンシャッター１０３が開口する。図５（ａ）に示すように、光ディスク装置のスピンドルモータの回転を停止した状態で、トラバースモータ１１２を駆動し、光ピックアップ１１３をカートリッジ治具１内の赤色レーザー受光素子４００の下面に相当するの所定領域に移動し、光ピックアップ４１３から赤色レーザービーム４１４を再生モードで発光する。通常赤色レーザーの再生パワーは、ＤＶＤでは０．５ｍＷ〜１ｍＷ程度になっている。この再生モードで発光した状態でフォーカスレンズアクチュエータによって対物レンズ１１４を上下させ、レーザー光が全て受光できるような位置に対物レンズを固定する。このような状態で赤色レーザーパワーの測定が開始すると、表示手段４０７には、所定のパワーがデジタル値で表示でき、さらにＲＳ−２３２Ｃケーブル等を介せば、光ピックアップ毎の再生パワーをＰＣ１１０に取り込むことも容易である。
【００３１】
以上のように赤色レーザーのパワーの測定が完了すると、赤色レーザーを消灯し次に図５（ｂ）に示すように、トラバースモータ１１２を駆動し、光ピックアップ４１３をカートリッジ治具１内の青紫色レーザー受光素子４０１の下面に相当するの所定領域に移動し、光ピックアップ４１３から青紫色レーザービーム４１５を再生モードで発光する。通常青紫色レーザーの再生パワーは、Ｂｌｕ−ｒａｙ、ＡＯＤでは０．３ｍＷ程度になっている。この再生モードで発光した状態でフォーカスレンズアクチュエータによって対物レンズ１１４を上下させ、レーザー光が全て受光できるような位置に対物レンズを固定する。このような状態で再生パワーの測定が開始すると、表示手段４０７には、所定のパワーがデジタル値で表示でき、さらにＲＳ−２３２Ｃケーブル等を介せば、光ピックアップ毎の再生パワーをＰＣ１１０に取り込むことも容易である。
【００３２】
このような波長に短い青紫色レーザー（λ=４０５ｎｍ）は、赤色レーザーに比べ、１０１に対して、レーザー光を絞りすぎると、受光素子の検出セルを破壊することになるので、パワーによっては、所定量だけフォーカスをずらす、すなわち絞りに制限を与えることが好ましい場合もある。
【００３３】
また図６に示すように、赤色レーザー受光素子４００と青紫色レーザー受光素子４０１との間隔を光ピックアップ４１３上の各対物レンズの間隔に一致させて、各レーザを発光すると光ビームが対応する赤色、青紫色の受光素子に照射されるように構成すれば、都度トラバースモータ１１２を駆動することなく、さらに高速かつ正確に各レーザーパワーの測定を行うことができる。
【００３４】
なお本実施の形態２では、再生状態での２つのレーザーの測定装置や測定方法について説明したが、本実施の形態２によれば、記録状態でのレーザーパワーの測定、３種類以上の波長のレーザーが搭載された場合のパワーの測定にも適用できる。
【００３５】
また本実施の形態２では、赤色レーザー（６５０ｎｍ）、青紫色レーザー（４０５ｎｍ）を例にあげ、説明したが、ＣＤで使われる赤外レーザー（７８０ｎｍ）を搭載した場合にも適用でき、その適用範囲は、レーザー波長によって何ら制限を受けることはない。
【００３６】
本実施の形態２によれば、ＤＶＤ、Ｂｌｕ−ｒａｙといった異なる波長の光ディスクの互換をもつ光ディスク装置において、従来時間のかかっていた各波長のレーザーパワーの測定が迅速かつ正確に行うことできる。
【００３７】
（実施の形態３）
図７は本発明の実施の形態３におけるレーザー調整装置の２つの受光素子を含むレーザーパワー測定装置の構成を示すブロック図である。実施の形態１、２のブロック図と同様の部分には同じ番号を付し、詳しい説明を省略する。
【００３８】
青紫色レーザーの光源７０３で高ＮＡの対物レンズ７０１では、光スポットがＣＤの約１／４程度になり、また青紫色レーザーの記録パワーが測定可能なＡＣ受光素子１０１も非常に小さなものになる。また高ＮＡのレンズを使用すると光ディスクの基材厚ばらつきの影響が大きくなり、実際の記録再生では、球面収差補正レンズ７０２を最適な位置（例えばジッタが最小となる位置）に調整している。よってレーザーパワー測定し、その値によってレーザーのパワー制御をかけるための受光部７０４の感度補正等を行う場合に、上記した球面収差補正レンズ７０２をほぼ最適な位置すなわち記録再生を行う時の位置と同じにしておく必要がある。球面収差補正レンズ７０２は２枚の組レンズよって実現されており、この組レンズの片側を移動させることによって球面収差を調整するものである。この駆動はステッピングモータあるいはアクチュエータで実現されている。
【００３９】
次に本レーザーパワー測定装置を使った青紫色レーザー、赤色レーザーのパワーの測定方法について説明する。
【００４０】
カートリッジ治具１が光ディスク装置の挿入口より装填する前に、予め球面収差補正レンズの位置決めを行う。これについては、センサー等やステッピングモータのパルス数によって所定の基材厚、例えばｂｌｕ−ｒａｙディスクであれば０．１ｍｍに相当する位置に合致させる方法、または予め記録されたディスクを一旦装填し、ジッタが最小になるように球面収差補正レンズ７０２の位置を探索する方法など種々の方法が考えられる。
【００４１】
この球面収差補正レンズ７０２の位置決めが完了した後、実施の形態１や２の青紫色レーザーのパワー測定を実施すれば、さらに正確なレーザーパワーの測定とその測定値に基づく、パワー制御用の受光部７０４の感度補正を行うことができる。
【００４２】
さらに上記したように青紫色レーザーの光源７０３で高ＮＡの対物レンズ７０１では、光スポットがＣＤの約１／４程度になり、また青紫色レーザーの記録パワーが測定可能なＡＣ受光素子１０１も非常に小さなものになっているので、カートリッジ治具１が装填されたときのメカニカルな位置誤差によっては、レーザービームのスポットが受光部１０１内に照射されない場合がある。この場合は、例えばパワーメータ１０６の出力値をモニタしながら半径方向にトラバースモータ１１２を駆動して正しい位置に移動し、タンジェンシャル方向に微移動すればよい。
【００４３】
この構成について図８、図９を用いて説明する。図８においてＤＣ受光素子１００及びＡＣ受光素子１０１はディスクの回転中心を基準に回転可能な支持棒８０１に固定されており、モータ８００によって微少にタンジェンシャル方向に回転することが可能である。よって記録パワーの測定時に初期状態で所定のパワーが検出できなかったとき、この支持棒８０１を回転させることによって最適な位置にＡＣ受光素子１０１を移動させる。
【００４４】
また同様に図９のように精度の厳しいＡＣ受光素子１０１をステッピングモータ９００によってタンジェンシャル方向に移動可能とし、記録パワーの測定時に初期状態で所定のパワーが検出できなかったとき、このステッピングモータ９００に所定の駆動信号を与えることによって最適な位置にＡＣ受光素子１０１を移動させる。
【００４５】
本実施の形態３によれば、特にＢｌｕ−ｒａｙなどの短波長、高ＮＡレンズを用いた光ディスク装置において、レーザーパワーの測定精度やパワー制御用の受光素子の感度調整を正確に行うことできる。
【産業上の利用可能性】
【００４６】
本発明にかかるレーザーパワー測定方法及び装置は、ディスクあるいはディスクカートリッジと同型の治具に、光ピックアップに対向して２つの以上の受光素子を有し、記録型の光ディスク装置や異なる波長の光ディスク互換をもつ光ディスク装置のレーザーパワー測定に対し有用である。また短波長で高ＮＡの対物レンズを搭載した光ディスク装置のレーザー測定やパワー制御の感度補正に対しても効果がある。
【図面の簡単な説明】
【００４７】
【図１】本発明の実施の形態１に係るレーザーパワー測定装置のブロック図
【図２】図１に示したレーザーパワー測定の動作を示すブロック図
【図３】図１に示したレーザーパワー測定の動作を示す波形図
【図４】本発明の実施の形態２に係るレーザーパワー測定装置のブロック図
【図５】図４に示したレーザーパワー測定の動作を示すブロック図
【図６】図４に示したレーザーパワー測定の動作を示すブロック図
【図７】本発明の実施の形態３に係るレーザーパワー測定装置及び光ディスク装置の一部のブロック図
【図８】図７に示したレーザーパワー測定装置の検出部の構成を示すブロック図
【図９】図７に示したレーザーパワー測定装置の検出部の構成を示すブロック図
【図１０】従来のレーザーパワー測定装置の一例を示すブロック図
【図１１】従来のレーザーパワー測定装置の一例を示すブロック図
【符号の説明】
【００４８】
１    カートリッジ治具
２    情報記録担体
３    開口部
４    受光素子
１００    ＤＣ受光素子
１０１    ＡＣ受光素子
１０２    開口ギヤ
１０３    オープンシャッター
１０４，１０５    表示部
１０６，１０７    表示装置
１０８    増幅器
１１０    ＰＣ
１１２    トラバースモータ
１１３    光ピックアップ
４００    赤色レーザー受光素子
４０１    青紫色レーザー受光素子
４１３    光ピックアップ
４１４    赤色レーザービーム
４１５    青紫色レーザービーム
７０１    対物レンズ
７０２    球面収差補正レンズ
７０３    光源
７０４    受光部
８００，９００    ステッピングモータ
【図１】
2005085367.tif 000003
【図２】
2005085367.tif 000004
【図３】
2005085367.tif 000005
【図４】
2005085367.tif 000006
【図５】
2005085367.tif 000007
【図６】
2005085367.tif 000008
【図７】
2005085367.tif 000009
【図８】
2005085367.tif 000010
【図９】
2005085367.tif 000011
【図１０】
2005085367.tif 000012
【図１１】
2005085367.tif 000013